(57)【特許請求の範囲】
【請求項１】
加圧ポンプによって液体を地熱帯から蒸気発生器まで移送する経路を備え、
前記地熱帯まで移送し前記地熱帯の熱によって熱せられた前記液体を蒸気化することによって発電する地熱発電装置であって、
前記地熱発電装置は、蒸気化するまでの間に前記加圧ポンプの圧力によって微小気泡を生成する微小気泡生成装置を備え、前記微小気泡を溶存させた前記液体を蒸気化して発電することを特徴とする地熱発電装置。
【請求項２】
前記地熱帯に前記液体を移送する前記加圧ポンプは、前記微小気泡生成装置を備えたことを特徴とする請求項１記載の地熱発電装置。 
【請求項３】
前記微小気泡生成装置は、前記液体を前記地熱帯へ移送する加圧水注入管の上部に設けられ、前記加圧水注入管の内周に沿って設けられていることを特徴とする請求項１又は２記載の地熱発電装置。
【請求項４】
加圧ポンプによって液体を地熱帯から蒸気発生器まで移送する経路を備え、
前記地熱帯まで移送し前記地熱帯の熱によって熱せられた前記液体を蒸気化することによって発電する地熱発電装置であって、
前記地熱発電装置は、蒸気化した後に残った液体又は使用された蒸気を再び液体に戻した後の液体を貯留する貯留タンクを備え、前記貯留タンクに微小気泡を生成する微小気泡生成装置を備え、前記微小気泡を溶存させた前記液体を蒸気化して発電することを特徴とする地熱発電装置。
【請求項５】
前記微小気泡生成装置は、使用された蒸気を再び液体に戻した後の前記液体を循環させ、かつ復水器と貯留タンクとの間に配置された循環ポンプの圧力によって生成することを特徴とする請求項４に記載の地熱発電装置。
【請求項６】
前記微小気泡生成装置は、前記液体を前記地熱帯へ移送する経路の前に設けられていることを特徴とする請求項４に記載の地熱発電装置。
【請求項７】
加圧ポンプによって液体を地熱帯から蒸気発生器まで移送する経路を備え、
前記地熱帯まで移送し前記地熱帯の熱によって熱せられた前記液体を蒸気化することによって発電する地熱発電装置であって、
前記地熱発電装置は、熱せられた前記液体を減圧沸騰させることで蒸気化する前記蒸気発生器に微小気泡を生成する微小気泡生成装置を備え、前記微小気泡を溶存させた前記液体を蒸気化して発電することを特徴とする地熱発電装置。
【請求項８】
前記蒸気発生器は、蒸気を発生するノズルに前記微小気泡生成装置が設けられていることを特徴とする請求項７に記載の地熱発電装置。
【請求項９】
加圧ポンプによって液体を地熱帯まで移送し、前記地熱帯の熱によって熱せられた前記液体を蒸気発生器まで移送し、蒸気化するまでの間に前記加圧ポンプの圧力によって微小気泡を生成し、前記微小気泡を溶存させた前記液体を前記蒸気発生器で蒸気化して発電することを特徴とする地熱発電方法。
【請求項１０】
加圧ポンプによって液体を地熱帯まで移送し、前記地熱帯の熱によって熱せられた前記液体を蒸気発生器まで移送し、蒸気化するまでの間に蒸気化した後に残った液体又は使用された蒸気を再び液体に戻した後の液体を貯留する貯留タンクを備え、前記貯留タンクに配置された微小気泡を生成する微小気泡生成装置で微小気泡を生成し、前記微小気泡を溶存させた前記液体を前記蒸気発生器で蒸気化して発電することを特徴とする地熱発電方法。
【請求項１１】
加圧ポンプによって液体を地熱帯まで移送し、前記地熱帯の熱によって熱せられた前記液体を蒸気発生器まで移送し、熱せられた前記液体を減圧沸騰させることで蒸気化する前記蒸気発生器に設置された微小気泡生成装置によって微小気泡を生成し、前記微小気泡を溶存させた前記液体を前記蒸気発生器で蒸気化して発電することを特徴とする地熱発電方法。
【発明の詳細な説明】
【技術分野】
【０００１】
本発明は、地熱帯を熱源として熱交換を行う地熱交換装置を用いて発電を行う地熱発電装置及び地熱発電方法に関する。
【背景技術】
【０００２】
従来から地熱発電装置では、地熱帯に存在する自然の蒸気を自然の圧力を利用して取り出し、気水分離して使用する方法であるため、取り出された蒸気には地熱帯特有の硫黄やその他の不純物が多量に含まれている。この不純物はスケールとなって、熱井戸や配管類、あるいはタービンの羽根等に付着する。スケールが付着すると、経年的に発電出力が減少し、長期間の使用が困難となる。このスケールによる問題を解決するために、地上から水を送り、加熱させて取り出す方式を採用した技術が提案されている。
【０００３】
その一例として特許文献１の地熱発電装置は、高圧給水ポンプによって加圧された処理水が供給される加圧水注入管と、加圧水注入管中を地熱帯まで下降する処理水に対して、地熱帯から熱が供給されて生成される熱水が上昇する熱水取出管とを有し、熱水取出管から取出された熱水が蒸気発生器に送られて生成される蒸気によって発電がなされる技術が提案されている。
【０００４】
この技術は、加圧水注入管に対して、高圧給水ポンプによって加圧された処理水が供給され、この処理水が加圧水注入管中を下降して地熱帯に達することにより、地熱帯から処理水に熱が供給されて熱水が生成され、この熱水が熱水取出管中を上昇して取出されて発電に使用されるため、発電に使用される蒸気に不純物が含まれておらず、地熱帯に存在する自然の蒸気を直接使用する場合のように、タービンや配管等にスケールが付着しないため、スケールを除去する必要がなく、メンテナンスが容易であり、発電装置を長時間稼働させることが可能となる。
【０００５】
また、特許文献２は、特許文献１の技術を利用し、高圧給水ポンプによって加圧された処理水が供給される加圧水注入管と、加圧水注入管中を地熱帯まで下降する処理水に対して、地熱帯から熱が供給されて生成される熱水が蒸気を含まない状態で上昇する熱水取出管とを有し、熱水取出管から取出された熱水が蒸気発生器に送られて、蒸気発生器内のみで蒸気として取り出し、その加圧水注入管が熱水取出管の外周側に配置されており、熱水は加圧水注水管の下部を通って熱水取出管に移る構造を有した地熱発電装置が提案されている。
【０００６】
これら技術は、地中深部にある熱源から得られる熱エネルギーを単相流の媒体によって熱交換し、熱源の熱を媒体、例えば水によって移送する装置である。ここで、気液二相流の場合には、単相流に比べて、熱伝導率は１０倍から数１０倍と大きく、伝わる量が格段に大きい、すなわち熱を奪われやすいため、地下深部で受熱した地中熱を地上に運ぶ前に、地下熱交換器内あるいは地中に戻すことになり、熱効率が低下するかあるいは蒸気を取り出すことができなくなる可能性がある。
そのため、例えば単相流の水を採用し、地中で得られた熱を単相流の状態で蒸気発生器まで移送し、得られた熱水を効率よく蒸気化し、発電量を向上する更なる技術が望まれていた。
また、加圧した単相流の熱水を蒸気発生器まで移送する際に、圧力損出をできる限りなくすことで、加圧水を移送するポンプの出力を低減することができるため、ポンプのエネルギー消費を押さえる技術も望まれていた。
【先行技術文献】
【特許文献】
【０００７】
【特許文献１】特開２０１１−０５２６２１号公報
【特許文献２】特開２０１３−１６４０６２号公報
【発明の開示】
【発明が解決しようとする課題】
【０００８】
本発明は、このような課題を鑑みされたものであり、単相流の状態で運ばれた熱水を効率よく蒸気化して発電量を向上させる装置及び方法を提供すること、また加圧した単相流の熱水を蒸気発生器まで移送する際に、圧力損出をできる限り少なくする装置及び方法を提供することを主目的とする。
【課題を解決するための手段】
【０００９】
本発明は、上述の主目的を達成するために、以下の手段を採った。
【００１０】
加圧ポンプによって液体を地熱帯から蒸気発生器まで移送する経路を備え、前記地熱帯まで移送され前記地熱帯の熱によって熱せられた前記液体を蒸気化することによって発電する地熱発電装置であって、前記地熱発電装置は、蒸気化するまでの間に微小気泡を生成する微小気泡生成装置を備え、前記微小気泡を溶存させた前記液体を蒸気化して発電することを特徴とする。
このように構成することによって、微小気泡を含んだ液体（熱水）は、通常の水よりも付加的な発泡核数及び気液界面（蒸発界面）の表面積が増大する。これにより、蒸気発生器で液体（熱水）が蒸気となる場合に、蒸気量を増すことができるので発電量を向上させることが可能となる。
【００１１】
前記加圧ポンプ（加圧給水ポンプ）の圧力によって前記微小気泡を生成する前記微小気泡生成装置を備えたことを特徴とする。
このように構成することによって、微小気泡を含んだ液体（熱水）は、通常の水よりも付加的な発泡核数及び気液界面（蒸発界面）の表面積が増大している。これにより、蒸気発生器で液体（熱水）が蒸気となる場合に、蒸気量を増すことができるので発電量を向上させることが可能となる。また、微小気泡を乱流境界層中に注入することにより、壁面の摩擦抵抗を低減する事も可能である。このため、経路の抵抗が少なくなり圧力損出の低減を行うことが可能である。そして、加圧ポンプの負担を少なくすることができる。
【００１２】
蒸気化した後に残った液体又は使用された蒸気を再び液体に戻した後の液体を貯留する貯留タンクを備え、前記貯留タンクに前記微小気泡生成装置を備えたことを特徴とする。
このように構成することによって、微小気泡を含んだ液体（熱水）は、通常の水よりも付加的な発泡核数及び気液界面（蒸発界面）の表面積が増大する。これにより、蒸気発生器で液体（熱水）が蒸気となる場合に、蒸気量を増すことができるので発電量を向上させることが可能となる。また、微小気泡を乱流境界層中に注入することにより，壁面の摩擦抵抗を低減する事も可能である。このため、経路の抵抗が少なくなり圧力損出の低減を行うことが可能である。そして、加圧ポンプの負担を少なくすることができる。
【００１３】
熱せられた前記液体を減圧沸騰させることで蒸気化する前記蒸気発生器は、前記微小気泡生成装置を備えたことを特徴とする。
このように構成することによって、微小気泡を含んだ液体（熱水）は、通常の水よりも付加的な発泡核数及び気液界面（蒸発界面）の表面積が増大する。これにより、蒸気発生器で液体（熱水）が蒸気となる場合に、更に蒸気量を増すことができるので発電量を向上させることが可能となる。
【００１４】
前記蒸気発生器は、蒸気を発生するノズルに前記微小気泡生成装置を備えたことを特徴とする。
このように構成することによって、微小気泡を含んだ液体（熱水）は、通常の水よりも付加的な発泡核数及び気液界面（蒸発界面）の表面積が増大する。これにより、蒸気発生器で液体（熱水）が蒸気となる場合に、蒸気量を増すことができるので発電量を向上させることが可能となる。
【００１５】
地熱帯に前記液体を移送する前記加圧ポンプは、前記微小気泡生成装置を備えたことを特徴とする。
このように構成することによって、微小気泡を乱流境界層中に注入することにより，壁面の摩擦抵抗を低減する事が可能である。このため、経路の抵抗が少なくなり圧力損出の低減を行うことが可能である。そして、加圧ポンプ等の負担を少なくすることができる。
【００１６】
使用された蒸気を再び液体に戻した後の前記液体を、前記貯留タンクに移送する循環ポンプの圧力によって前記微小気泡を生成する前記微小気泡生成装置を備えたことを特徴とする。
このように構成することによって、微小気泡を乱流境界層中に注入することにより，壁面の摩擦抵抗を低減する事が可能である。このため、経路の抵抗が少なくなり圧力損出の低減を行うことが可能である。そして、加圧ポンプ等の負担を少なくすることができる。
【００１７】
前記微小気泡生成装置は、地熱帯へ移送する経路の前に設けられていることを特徴とする。
このように構成することによって、微小気泡を含んだ液体（熱水）は、通常の水よりも付加的な発泡核数及び気液界面（蒸発界面）の表面積が増大する。これにより、蒸気発生器で液体（熱水）が蒸気となる場合に、蒸気量を増すことができるので発電量を向上させることが可能となる。また、微小気泡を乱流境界層中に注入することにより，壁面の摩擦抵抗を低減する事が可能である。このため、経路の抵抗が少なくなり圧力損出の低減を行うことが可能である。そして、加圧ポンプ等の負担を少なくすることができる。
【００１８】
前記微小気泡生成装置は、地熱帯へ移送する加圧水注入管の上部に設けられ、前記加圧水注入管の内周に沿って設けられていることを特徴とする。
このように構成することによって、前記加圧水注入管の内周に沿って前記液体が遠心力を伴って抵抗なく導入され深部に移送されるので、圧力損失なく移送され加圧ポンプ等の負担を少なくすることができる。
【００１９】
加圧ポンプによって液体を地熱帯まで移送し、前記地熱帯の熱によって熱せられた前記液体を蒸気発生器まで移送し、蒸気化するまでの間に微小気泡を生成し、前記微小気泡を溶存させた前記液体を前記蒸気発生器で蒸気化して発電する方法を特徴とする。
このような方法を使用することによって、微小気泡を含んだ液体（熱水）は、通常の水よりも付加的な発泡核数及び気液界面（蒸発界面）の表面積が増大する。これにより、蒸気発生器で液体（熱水）が蒸気となる場合に、蒸気量を増すことができるので発電量を向上させることが可能となる。  
【図面の簡単な説明】
【００２０】
【図１】図１は、第１実施形態にかかる本発明の地熱発電装置１０の構成を示す概要図である。
【図２】図２は、微小気泡１３を表す作用図である。
【図３】図３（Ａ）は、第１実施形態及び第２実施形態にかかる微小気泡生成ノズル２１ａの構成を表す概要図である。図３（Ｂ）は、第３実施形態及び第４実施形態にかかる微小気泡生成ノズル２１ｂの構成を表す概要図である。
【図４】図４は、第２実施形態にかかる本発明の地熱発電装置１１０の構成を示す概要図である。
【図５】図５は、第３実施形態にかかる本発明の地熱発電装置２１０の構成を示す概要図である。
【図６】図６は、第３実施形態にかかる熱交換器５０の上方部分における液体取出管５２と微小気泡生成ノズル２１ｂを示す斜視図である。
【図７】図７は、第４実施形態にかかる本発明の地熱発電装置３１０の構成を示す概要図である。
【発明を実施するための形態】
【００２１】
本発明にかかる地熱発電装置１０、１１０、２１０、３１０の実施形態について、図面を参照しつつ詳細に説明する。なお、以下に説明する実施形態及び図面は、本発明の実施形態の一部を例示するものであり、これらの構成に限定する目的に使用されるものではなく、本発明の要旨を逸脱しない範囲において適宜変更することができる。各図において対応する構成要素には同一又は類似の符号が付されている。
図に示される白矢印は、媒体（温水、熱水及び還元水）が流れる方向を示している。ここで、本発明では使用される単相流の液体を水を例にとって説明しているが、特に限定されることはなく、アンモニア等のバイナリー発電等で使用される低沸点の媒体であっても良い。各白矢印の液体の流れる箇所は、配管が設けられている。また、各装置又はタンクの手前に減圧弁等が設けられており、流量の調整が可能なようになっている。
【００２２】
（第１実施形態）
第１実施形態にかかる地熱発電装置１０が図１乃至図３に示されている。主に図１を参照して説明すると、図１は、第１実施形態にかかる本発明の地熱発電装置１０の構成を示す概要図である。図２は、微小気泡１３を表す作用図である。図３（Ａ）は、第１実施形態にかかる微小気泡生成ノズル２１ａの構成を表す概要図である。
【００２３】
第１実施形態にかかる地熱発電装置１０は、大別すると微小気泡生成装置２０、貯留タンクとしての循環サービスタンク３０、熱交換器５０、蒸気発生器６０、フラッシャー７０、蒸気タービン８０、復水器９０、加圧給水ポンプ４１、低圧循環ポンプ４２で構成されている。
【００２４】
地熱発電装置１０は、蒸気タービン８０に蒸気を供給することで発電モータ８１を回転させて発電を行い、受電設備８２に電気を供給し送電網を介して電力会社等に電気を供給するものである。蒸気タービン８０は、タービン形式だけでなくスクリュー形式のもの等であってもよく、蒸気によって発電可能なものであればよい。
蒸気タービン８０に供給される蒸気は、熱水を減圧沸騰させて蒸気発生器６０で生成する。生成した蒸気は、配管６１によって蒸気タービン８０の高圧部に直接供給される。蒸気量が足りない場合は、蒸気発生器６０で余った高温水をフラッシャー７０で再度減圧沸騰させ、蒸気を発生させる。発生した蒸気は、配管７１によって低圧部の蒸気タービン８０へ供給される。熱水は、すべて蒸気とされることがないため、フラッシャー７０からの還元水は、循環サービスタンク３０に貯められる。また、復水器９０は、蒸気タービン８０で使用された蒸気を冷却水９１で再び水へ凝縮させる装置である。凝縮された温水は低圧循環ポンプ４２で循環サービスタンク３０へ移送される。
【００２５】
循環サービスタンク３０は、フラッシャー７０からの還元水と復水器９０から低圧循環ポンプ４２で移送された温水を貯めている。貯められた水は、再度地熱帯Ｓで熱水として熱交換されるように加圧水注入管５１へ加圧給水ポンプ４１で移送される。
循環サービスタンク３０は、微小気泡生成装置２０を含んでおり、循環サービスタンク３０の水の一部を液体搬送管３１を介して微小気泡生成装置２０に移送される。微小気泡生成装置２０は、図１及び図３（Ａ）に示すように、動力部２４と、微小気泡１３を排出するノズル部としての微小気泡生成ノズル２１ａとに分離されて設けられている。
【００２６】
微小気泡生成装置２０に設けられた動力部２４の図示しないポンプで加圧した水を圧力注入管２３ａにより微小気泡生成ノズル２１ａに供給する。微小気泡生成装置２０は、動力部２４の図示しないエアコンプレッサー等で気体注入管２２ａを介して空気を微小気泡生成ノズル２１ａに供給し、微小気泡生成ノズル２１ａは空気と共に温水を排出するためのノズル２５ａが設けられている。微小気泡生成ノズル２１ａは、微小気泡生成ノズル２１ａの中間部に位置し、微小気泡生成ノズル２１ａの中に挿入された球状体２７が嵌め込まれている。微小気泡生成ノズル２１ａは、その球状体２７の挿入中心から下流に微小気泡生成ノズル２１ａの周上に穿設された小孔２９が設けられている。微小気泡生成ノズル２１ａは、小孔２９の外側に大気又はエアコンプレッサーと連通している空気室２６が設けられている。
そして、加圧した高圧水流を流すことで、自吸又はエアコンプレッサーで加圧した空気を伴って図２に示すように微小気泡１３が生成される。微小気泡生成ノズル２１ａは、耐熱性のものが良く、少なくとも２００℃程度耐えるような樹脂や金属等を使用するとよい。
【００２７】
本発明で生成した微小気泡１３は、マイクロバブルやナノバブルであり、粒径が２０マイクロ以下のマイクロバブルはナノバブルへと縮小し、最終的には消滅することが知られている。ヘンリーの法則によると、気体は圧力に比例して水の中に溶解する。そのため、小さな気泡ほど気体の溶解能力が高いことを意味している。そして、マイクロバブルやナノバブルを溶解した水は、以下のような効果を奏している。
微小気泡１３を含んだ熱水をノズルでスプレー状に散布した場合に、マイクロバブルやナノバブルを多く含んでいるため、何も含んでいない水と比較すれば、粒子数で換算すると２倍から３倍の粒子数が確認されている。微小気泡１３を含んだ熱水は、通常の水よりも付加的な発泡核数及び気液界面（蒸発界面）の表面積が増大する。これにより、蒸気発生器６０で熱水が蒸気となる場合に、少なくとも蒸気量が１割から２割増大することが確認されている。
【００２８】
マイクロバブルを乱流境界層中に注入することにより、壁面の摩擦抵抗を低減する事も可能である。このため、管内の抵抗が少なくなり圧力損出の低減を行うことが可能である。そして、加圧給水ポンプ４１や低圧循環ポンプ４２の負担が少なくなる。
また、微小気泡１３は、空気と水の気液界面１４では静電摩擦が起こることにより、静電気により気液界面１４を境にして水側に正の電位１６が、空気側には負の電位１５が発生し気液界面１４に生じた負の電位１５による静電摩擦の力により、液体中の不純物を集めながら移送される。これにより、移送路内の浄化効果もあり、更に圧力損出の低減を行うことが可能である。
【００２９】
また、微小気泡１３の生成方法には他にも考えられ、衝撃波や超音波やベンチュリー管を使用して圧壊を起こす方法、キャビテーションによる方法、剪断、電気分解や加圧溶解による方法等が考えられる。
【００３０】
次に、熱交換器５０を説明すると、地表Ｆから地中深部にある熱源となる地熱帯Ｓまで熱交換器５０が埋設されている。熱交換器５０は、外側に円筒状の加圧水注入管５１が設けられ、その加圧水注入管５１の周囲は地表Ｆから地熱帯Ｓ付近までは地熱セメントによって固められている。加圧水注入管５１の内側には地熱帯Ｓで熱せられた水を移送する円筒状の液体取出管５２が設けられている。加圧水注入管５１は、スチールやステンレス等の素材で形成されており、温度の高い地熱帯Ｓの領域では、外周は地熱帯Ｓの熱が伝わりやすいように、フィン等が取り付けられている。
また、加圧水注入管５１の外周は、耐腐食性や伝熱性を向上させるためにアルミやアルミと鉛を混合した材料で溶射加工が施されている。加圧水注入管５１は、地表Ｆに近い温度の低い領域では、循環サービスタンク３０から加圧された温水の熱が奪われないように断熱材や空気層を設けた断熱構造がとられている。図１に示すように加圧水注入管５１の最深部は、圧力損失が生じないように断面弧状に形成され、加圧された水がスムーズに液体取出管５２へ移送される。
【００３１】
液体取出管５２は、地熱帯Ｓで熱せられた熱水を地上まで移送するために円筒状の管が、加圧水注入管５１の内部に設けられている。液体取出管５２は、ステンレス等の素材で形成されており最深部は、圧力損失が生じないように図示しない一部分が欠き切られた形状に形成され、加圧された水がスムーズに上昇する。
【００３２】
液体取出管５２から取り出された熱水は、加圧された状態で蒸気発生器６０まで到達する。蒸気発生器６０では、加圧された熱水が減圧沸騰され、蒸気が発生する。通常、蒸気発生器６０で熱水から蒸気として取得できる蒸気の重量割合は３０％であり、７０％は温水として戻される。しかしながら、微小気泡１３を含んだ状態では、付加的な発泡核数及び気液界面の増大により蒸気の重量割合は４０％まで向上している。
【００３３】
（第２実施形態）
第２実施形態にかかる地熱発電装置１１０が図４に示されている。図４は、第２実施形態にかかる本発明の実施形態に係る地熱発電装置１１０の構成を示す概要図である。第１実施形態と同様の構成を示す箇所は、第１実施形態と同様の符号を付して表してあり、構成は第１実施形態と同様な個所の説明は省略する。
【００３４】
第２実施形態にかかる地熱発電装置１１０は、大別すると微小気泡生成装置１２０、循環サービスタンク３０、熱交換器５０、蒸気発生器１６０、フラッシャー７０、蒸気タービン８０、復水器９０、加圧給水ポンプ４１、低圧循環ポンプ４２で構成されている。
【００３５】
第１実施形態と異なる点のみ説明すると、蒸気発生器１６０に微小気泡生成装置１２０が設けられている。微小気泡生成装置１２０は、図３（Ａ）及び図４に示すように、動力部２４と、微小気泡１３を排出するノズル部としての微小気泡生成ノズル２１ａとに分離されて設けられている。
【００３６】
微小気泡生成装置１２０は、加圧給水ポンプ４１で加圧した熱水を圧力注入管２３ａで微小気泡生成ノズル２１ａに供給し、動力部２４の図示しないエアコンプレッサーで気体注入管２２ａを介して空気を微小気泡生成ノズル２１ａに供給している。微小気泡生成ノズル２１ａは、空気と共に熱水を排出するためのノズル２５ａが設けられている。微小気泡生成ノズル２１ａの中間部に位置し、微小気泡生成ノズル２１ａの中に挿入された球状体２７が嵌め込まれている。その球状体２７の挿入中心から下流に微小気泡生成ノズル２１ａの周上に穿設された小孔２９が設けられている。小孔２９の外側には、エアコンプレッサーと連通している空気室２６が設けられている。
【００３７】
そして、蒸気発生器１６０は、熱水を減圧沸騰させて蒸気を生成するが、蒸気を発生させるノズルが微小気泡生成ノズル２１ａで構成されており、微小気泡１３を発生させながら蒸気としているため、微小気泡１３を含んだ熱水は、マイクロバブルやナノバブルを多く含んでいるため、通常の水よりも付加的な発泡核数及び気液界面の表面積が増大している。これにより、蒸気発生器１６０で熱水が蒸気となる場合に、蒸気量が増大する効果を奏している。
【００３８】
（第３実施形態）
第３実施形態にかかる地熱発電装置２１０が図３（Ｂ）、図５及び図６に示されている。図３（Ｂ）は、第３実施形態にかかる微小気泡生成ノズル２１ｂの構成を表す概要図である。図５は、第３実施形態にかかる本発明の実施形態に係る地熱発電装置２１０の構成を示す概要図である。図６は、第３実施形態にかかる熱交換器５０の上方部分における液体取出管５２と微小気泡生成ノズル２１ｂを示す斜視図である。第１実施形態と同様の構成を示す箇所は、第１実施形態と同様の符号を付して表してあり、構成は第１実施形態と同様な個所の説明は省略する。
【００３９】
第３実施形態にかかる地熱発電装置２１０は、大別すると微小気泡生成装置２２０、循環サービスタンク３０、熱交換器２５０、蒸気発生器６０、フラッシャー７０、蒸気タービン８０、復水器９０、加圧給水ポンプ４１、低圧循環ポンプ４２で構成されている。
【００４０】
第１実施形態と異なる点のみ説明すると、微小気泡生成装置２２０が熱交換器２５０に設けられている。熱交換器２５０は、地表Ｆ近くに微小気泡生成装置２２０を設けている。微小気泡生成装置２２０は、加圧給水ポンプ４１に接続される圧力注入管２３ｂを、液体取出管５２と加圧水注入管５１の間にあって、加圧水注入管５１の内周に沿って反時計回りの螺旋状に設けている。これは、加圧された水を加圧水注入管５１の内周に沿って注入することで螺旋を描きながら圧力損失を低減しながらスムーズに水が降下するように設けられている。
【００４１】
微小気泡生成装置２２０は、図５及び図３（Ｂ）に示すように、気体注入管２２ｂを介して空気を供給する動力部２４に図示しないエアコンプレッサー等を備えている。また、加圧給水ポンプ４１で加圧した水を圧力注入管２３ｂで供給し、空気と共に排出するためのノズル２５ｂが設けられている。
微小気泡生成ノズル２１ｂは、微小気泡生成ノズル２１ｂの中間部に位置し、微小気泡生成ノズル２１ｂの中に挿入された螺旋状の気泡カッター２８が内蔵されている。その気泡カッター２８の挿入中心から下流に微小気泡生成ノズル２１ｂの周上に穿設された小孔２９が設けられている。小孔２９の外側には、空気室２６が設けられている。そして、加圧した高圧水流を流すことで、動力部２４の図示しないエアコンプレッサーで加圧された空気を伴って図２に示すように微小気泡１３が生成される。
【００４２】
生成された微小気泡１３は、加圧給水ポンプ４１により、温水の中に溶存しながら熱交換器２５０の深部に移送された後、熱水となって蒸気発生器６０に移送される。微小気泡１３は、管内の抵抗が少なくなり圧力損出の低減を行うことが可能である。そのため、加圧給水ポンプ４１や低圧循環ポンプ４２の負担が少なくなる。微小気泡１３を含んだ熱水は、マイクロバブルやナノバブルを多く含んでいるため、通常の水よりも付加的な発泡核数及び気液界面の表面積が増大している。これにより、蒸気発生器６０で熱水が蒸気となる場合に、蒸気量が増大する効果を奏している。 
【００４３】
（第４実施形態）
第４実施形態にかかる地熱発電装置３１０が図７に示されている。図７は、第４実施形態にかかる本発明の実施形態に係る地熱発電装置３１０の構成を示す概要図である。第１実施形態と同様の構成を示す箇所は、第１実施形態と同様の符号を付して表してあり、構成は第１実施形態と同様な個所の説明は省略する。
【００４４】
第４実施形態にかかる地熱発電装置３１０は、大別すると微小気泡生成装置３２０、循環サービスタンク３０、熱交換器５０、蒸気発生器６０、フラッシャー７０、蒸気タービン８０、復水器９０、加圧給水ポンプ３４１、低圧循環ポンプ４２で構成されている。
【００４５】
第１実施形態と異なる点のみ説明すると、微小気泡生成装置３２０が加圧給水ポンプ３４１に接続されている。加圧給水ポンプ３４１は、空気を取り入れながら攪拌して図２の微小気泡１３を生成する構造となっている。
微小気泡生成装置３２０は、動力部２４に図示しないエアコンプレッサーを搭載し、コンプレッサーで圧縮した空気を気体注入管２２ｂを介して加圧給水ポンプ３４１に供給する。供給された空気は、加圧給水ポンプ３４１内の図示しない気泡カッターによって微小に形成される。加圧給水ポンプ３４１は、循環サービスタンク３０からの水を加圧し、微小気泡１３を溶存させて、熱水を熱交換器５０に移送する。生成された微小気泡１３は、加圧給水ポンプ３４１により、水の中に溶存しながら熱交換器５０に移送された後、熱水となって蒸気発生器６０に移送される。
【００４６】
微小気泡１３は、経路内の抵抗が少なくなり圧力損出の低減を行うことが可能である。そのため、加圧給水ポンプ３４１や低圧循環ポンプ４２の負担が少なくなる。微小気泡１３を含んだ熱水は、マイクロバブルやナノバブルを多く含んでいるため、通常の水よりも付加的な発泡核数及び気液界面の表面積が増大している。これにより、蒸気発生器６０で熱水が蒸気となる場合に、蒸気量が増大する効果を奏している。  
【００４７】
（上記装置を利用して発電する発電方法）
図１及び図２を参照して発電方法を説明すると、温度２００℃前後の熱を地中で得るためにボーリングにより開けられた穴の深度は、地中７００ｍから１５００ｍ程度まで達している。循環サービスタンク３０の微小気泡１３を含んだ水は、加圧給水ポンプ４１により１．６５Ｍｐａに加圧され熱交換器５０の加圧水注入管５１に流量３５．８ｔ／ｈで送られ、地中深くの地熱帯Ｓまで移送される。例えば、２３０℃の地熱帯Ｓまで移送された水は、地熱帯Ｓからの熱を熱伝導性の良い加圧水注入管５１から伝わり、最終的に２００℃の熱水となる。そして、液体取出管５２から取り出された温度１９０℃の熱水は、加圧給水ポンプ４１により１．２５Ｍｐａに加圧され蒸気発生器６０に移送される。
【００４８】
蒸気発生器６０で生成した蒸気は、配管６１によって蒸気タービン８０の高圧部に直接供給される。蒸気量が足りない場合は、蒸気発生器６０で余った高温水をフラッシャー７０で再度減圧沸騰させ、蒸気を発生させる。発生した蒸気は、配管７１によって低圧部の蒸気タービン８０へ供給される。
フラッシャー７０に移送された温度１６２℃の熱水を、圧力０．６５Ｍｐａに減圧膨張させて蒸気流量２．１４ｔ／ｈの蒸気として蒸気タービン８０に送り、蒸気タービン８０の回転により発電される。この蒸気量により発電される発電量は１０２ＫＷの出力が得られる。
【００４９】
また、フラッシャー７０から得られる温度１５７℃の還元水は、圧力０．５７Ｍｐａで循環サービスタンク３０に移送され貯留される。蒸気タービン８０からの温度１０３℃の蒸気は、復水器９０で冷却水９１によって再び温度８０℃の温水へ凝縮される。この温水は、低圧循環ポンプ４２によって圧力０．４７Ｍｐａで循環サービスタンク３０へ移送される。
そして、循環サービスタンク３０に貯留された温水は、微小気泡生成装置２０で生成され微小気泡１３を含み再び熱交換器５０に加圧給水ポンプ４１で送られる。これらシステムでは水を循環利用し、経路が閉塞型のシステムである。そのため、温泉水を汲み上げることなく発電が行われる環境に良いシステムである。
尚、この深度は地熱帯Ｓの熱源の温度に左右され、特に限定されるものではない。また、発電量も移送する熱水の量や温度を調整することで、１ＭＷ等やそれ以上の出力を得ることも可能である。
【００５０】
（上記実施の形態から考えられるその他の技術的特徴）
微小気泡生成装置（２２０）は、螺旋状に形成し、液体を地熱帯へ移送する加圧水注入管（２３ｂ）を備えたことを特徴とする。このように構成することによって、加圧水注入管の内周に沿って液体（熱水）が遠心力を伴って抵抗なく導入され深部に移送されるので、圧力損失なく移送され加圧ポンプ（４１）等の負担を少なくすることができる。
【００５１】
微小気泡生成装置（２２０）は、加圧水注入管（２３ｂ）の螺旋に沿って微小気泡（１３）を伴った液体（熱水）を排出するノズル（２１ｂ）を備えたことを特徴とする。このように構成することによって、加圧水注入管５１の内周に沿って液体（熱水）が遠心力を伴って抵抗なく導入され深部に移送されるので、液体（熱水）が圧力損失なく移送され加圧給水ポンプ（４１）等の負担を少なくすることができる。
【００５２】
地熱発電装置（１０・１１０・２１０・３１０）は、蒸気化するまでの間に微小気泡（１３）を生成する微小気泡生成装置（２０、１２０、２２０、３２０）を備え、前記微小気泡を溶存させた液体を蒸気化して発電することを特徴とする。
このように構成することによって、微小気泡を含んだ液体（熱水）は、通常の水よりも付加的な発泡核数及び気液界面（蒸発界面）の表面積が増大する。これにより、蒸気発生器で液体（熱水）が蒸気となる場合に、蒸気量を増すことができるので発電量を向上させることが可能となる。
【００５３】
尚、上記実施の形態の中の微小気泡は、空気又は不活性ガス（窒素等）としても良く、窒素を使用することで安価であり、経路内の配管等の金属の酸化を防ぐことも可能である。また窒素は物性的に液体の流動抵抗を更に低減することが可能である。以上のことから、経路内の抵抗が少なくなり圧力損出の低減を行うことが可能であるため、加圧給水ポンプ３４１や低圧循環ポンプ４２の負担が少なくなる。
【００５４】
これら微小気泡１３を生成する微小気泡生成装置（２０、１２０、２２０、３２０）は、様々な個所に設置することが考えられる。また、必ずしもエアコンプレッサー等の別の動力を使用しなければならないわけではなく、加圧給水ポンプ４１や低圧循環ポンプ４２の圧力を利用し温水や熱水を送り込み、各装置間の配管内やバイパス経路の配管の途中にベンチュリー管等を設置して、空気を自吸により送り込んで温水や熱水の中に微小気泡１３を生成することも可能である。
【００５５】
本発明は上述した実施形態に何ら限定されることはなく、本発明の技術的範囲に属する限り種々の態様で実施し得ることはいうまでもない。
【産業上の利用可能性】
【００５６】
上述した実施の形態で示すように、バイナリー発電や火力発電及び熱交換器等にも利用することができる。
【符号の説明】
【００５７】
１０・１１０・２１０・３１０…地熱発電装置、１３…微小気泡、１４…気液界面、
１５…負の電荷、１６…正の電荷、２０・１２０・２２０・３２０…微小気泡生成装置、
２１ａ・２１ｂ…微小気泡生成ノズル、２２ａ・２２ｂ…気体注入管、
２３ａ・２３ｂ…圧力注入管、２４…動力部、２５ａ・２５ｂ…ノズル、２６…空気室、２７…球状体、２８…気泡カッター、２９…小穴、
３０・１３０・２３０…循環サービスタンク、３１…液体搬送管、
４１・３４１…加圧給水ポンプ、４２…低圧循環ポンプ、５０・２５０…熱交換器、
５１…加圧水注入管、５２…液体取出管、６１・７１…配管、
６０・１６０…蒸気発生器、７０…フラッシャー、８０…蒸気タービン、
８１…発電モータ、８２…受電設備、９０…復水器、９１…冷却水、Ｆ…表面、Ｓ…地熱帯。
【図１】
0006526422.tif 000002
【図２】
0006526422.tif 000003
【図３】
0006526422.tif 000004
【図４】
0006526422.tif 000005
【図５】
0006526422.tif 000006
【図６】
0006526422.tif 000007
【図７】
0006526422.tif 000008